(57)【特許請求の範囲】
【請求項１】
通信システムが有する第一通信装置と第二通信装置との間の通信を伝送システムが伝送する連携通信システムであって、
前記伝送システムは、
前記第一通信装置が有する通信機能の起動又は停止の状態の遷移を表す状態遷移情報を取得する情報取得部と、
予め決められたスケジュールに従って前記伝送システムの状態遷移を制御する処理と、前記状態遷移情報が表す遷移の状態と前記状態遷移情報が取得されたときの前記伝送システムの状態とが対応しない場合に、前記状態遷移情報が表す遷移の状態に従って前記伝送システムの起動又は休止の状態への切換えを制御する処理とを行う状態制御部と、
を備えることを特徴とする連携通信システム。
【請求項２】
前記伝送システムは、前記第一通信装置に接続される第一伝送装置と、前記第二通信装置に接続される第二伝送装置とを有し、
前記第二伝送装置は、前記情報取得部と、前記状態制御部とを備え、
前記第一伝送装置は、前記状態制御部による制御に従って自装置を起動又は休止する休止部を備える、
ことを特徴とする請求項１に記載の連携通信システム。
【請求項３】
前記伝送システムは、前記第一通信装置に接続される第一伝送装置と、前記第二通信装置に接続される第二伝送装置とを有し、
前記第一伝送装置は、
前記情報取得部と、
前記状態制御部と、
前記状態制御部による制御に従って自装置を起動又は休止する休止部とを備える、
ことを特徴とする請求項１に記載の連携通信システム。
【請求項４】
前記第一伝送装置と前記第二伝送装置とは光伝送により通信する、
ことを特徴とする請求項２又は請求項３に記載の連携通信システム。
【請求項５】
前記情報取得部は、前記第一通信装置と前記第二通信装置との間の通信を行う回線とは異なる回線により前記通信システムから前記状態遷移情報を取得する、
ことを特徴とする請求項１から請求項４のいれか一項に記載の連携通信システム。
【請求項６】
前記情報取得部は、前記第一通信装置と前記第二通信装置との間の通信を監視して前記状態遷移情報を取得する、
ことを特徴とする請求項１から請求項４のいずれか一項に記載の連携通信システム。
【請求項７】
通信システムが有する第一通信装置と第二通信装置との間の通信を伝送システムが伝送する連携通信システムが実行する状態連携方法であって、
前記伝送システムが、
前記第一通信装置が有する通信機能の起動又は停止の状態の遷移を表す状態遷移情報を取得する情報取得ステップと、
予め決められたスケジュールに従って前記伝送システムの状態遷移を制御する処理と、前記状態遷移情報が表す遷移の状態と前記状態遷移情報が取得されたときの前記伝送システムの状態とが対応しない場合に、前記状態遷移情報が表す遷移の状態に従って前記伝送システムの起動又は休止の状態への切換えを制御する処理とを行う状態制御ステップと、
を有することを特徴とする状態連携方法。
【発明の詳細な説明】
【技術分野】
【０００１】
本発明は、連携通信システム及び状態連携方法に関する。
【背景技術】
【０００２】
ＬＴＥ（Long Term Evolution）やＷｉＭＡＸ（Worldwide Interoperability for Microwave Access）等の無線ネットワークにおいて、トラヒック量は増大する一方である。
図１３は、無線ネットワークの大容量化を実現するためのセルの構成を示す図である。トラヒック量の増大に対して、無線ネットワークの大容量化を実現するため、図１３に示すようにヘテロジーニアスネットワークと呼ばれる高送信電力のマクロセルＣ１のカバレッジ上に、多数の低送信電力のスモールセルＣ２をオーバレイしたネットワーク構成に関する技術検討が行われている（例えば、非特許文献１参照）。
【０００３】
また、図１３には、Ｃ−ＲＡＮ（Centralized Radio Access Network）構成とＤ−ＲＡＮ（Distributed Radio Access Network）構成についても記載している。Ｃ−ＲＡＮ構成とは、無線基地局の信号処理部（ＢＢＵ: Baseband Unit）を集約し、アンテナ部（ＲＲＨ: Remote Radio Head）を張り出す構成を指している。一方、Ｄ−ＲＡＮ構成とは、無線基地局のＢＢＵとＲＲＨが同一箇所にある構成のことである。同図に示すように、Ｃ−ＲＡＮ構成の場合、ＢＢＵ８１０とＲＲＨ８２０の間は光装置９１０、９２０を介して光ファイバ７００で結ばれる。また、Ｄ−ＲＡＮ構成の場合、無線基地局８３０と上位装置８４０の間は、光装置９３０、９４０を介して光ファイバ７００で結ばれる。そして、ＢＢＵ８１０は光装置９１０を介して、上位装置８４０は光装置９４０を介してモバイルネットワーク（ＮＷ）に接続される。
【０００４】
多くのスモールセルを高密度に展開した場合、無線端末のスループットを向上させることができる。しかし、密度が高まることにつれてスループットの増大効果が飽和することがある。これはセル間にて信号が干渉することに因る。この干渉抑圧技術として、例えば、3GPP TR 36.872にてSmall cell on/off法が検討されている（例えば、非特許文献２参照）。これは、スモールセルのオン・オフをフレーム単位で切り替えることにより、他セルへの干渉を抑圧するものである。スモールセルのオン・オフとは、無線基地局の電源をオン又はオフにすることや、無線基地局の送信部又は受信部の電源をオン又はオフにすること等を指している。他にもSmall cell on/off法の用途として、オン・オフの切り替え速度を半日、一日といったように長時間の周期で切り替え、消費電力の削減を図ることも考えられている。
【０００５】
スモールセルのオン・オフ法の手順例を説明する。ここで、オン・オフが行われるスモールセルを、「オン・オフセル」と呼ぶこととする。オン・オフセルのオン・オフ切り替えの代表例として、自律的に無線基地局がオン・オフセルのオン・オフを行う場合と、外部の制御部が制御信号である切り替え命令を出力し、その命令に従って無線基地局がオン・オフを切り替える場合が考えられる。図１３に示すようなＤ−ＲＡＮ構成の場合、周辺セル及びオン・オフセルをオーバレイしているマクロセルＣ１の無線基地局８３０等、又はそれらを集約している上位装置８４０が外部の制御部に該当する。Ｃ−ＲＡＮ構成の場合はＲＲＨ８２０をオン・オフすることが想定されるため、Ｄ−ＲＡＮ構成の場合に加えてＢＢＵ８１０が外部の制御部として、オン・オフ命令を送ることが考えられる。
【０００６】
図１４は、無線基地局が自律制御によってオン・オフセルのオン・オフを行うシーケンス例を示す図である。同図において、オン・オフセルは初めオフ状態となっており、移動無線端末はソースセルとの間でユーザデータを送受信している。ソースセルとは複数のセルを管理しているセルを指す。例えば、図１３ではマクロセルＣ１が、複数のスモールセルＣ２の状態を管理しているソースセルに相当する。セルの重畳構成を取っていない場合、オン・オフセルのオン・オフ状態を管理する近隣のセルを、ソースセルと呼ぶこととする。
【０００７】
オン・オフセルは、一定時間経過後に、ソースセルに対してトラヒック量要求を送信し、ソースセルが管理しているトラヒック量情報を渡すように自律的に要求する。トラヒック量情報とはセルと、そのセルに収容されている移動無線端末間でやりとりされるトラヒック量を示すデータである。オン・オフセルは、送信したトラヒック量要求に対応して、ソースセルからトラヒック量情報が設定されたトラヒック量通知を受信し、セルの状態をオンにするかオフにするかのオンオフ判定を行う。オン・オフセルは、オフ状態からオン状態に遷移する必要があると判定した場合、セル起動の承認要求をソースセルに送信する。ソースセルからセル起動許可を受けたオン・オフセルは、状態をオンに切り替え、セル切り替え手順又はセル登録手順によりオン・オフセル配下の移動無線端末を収容し、ユーザデータを送受信する。セル切り替え手順の一例として、ハンドオーバ動作が挙げられる。
【０００８】
オン状態になったオン・オフセルは定期的にトラヒック量要求を送信し、トラヒック量情報を通知するようソースセルに要求する。オン・オフセルは、トラヒック量要求に対応してソースセルからトラヒック量通知を受信する。オン・オフセルは、通知されたトラヒック量情報により状態をオフにすると判定した場合は、セル停止の承認要求をソースセルに送信する。オン・オフセルは、セル停止の承認要求に対応して、ソースセルからセル停止許可を受けると、セル切り替え手順を行い、オン・オフセル配下の移動無線端末をソースセルに受け渡す。ソースセルは、オン・オフセル配下の移動無線端末との通信を引き継ぎ、ユーザデータの送受信を開始する。オン・オフセルは、セル切り替え手順の後に、保持していた無線端末情報の解放又はオン・オフセルのオフの完了をソースセルに通知し、セルの状態をオフに遷移させる。
【０００９】
図１５は、無線基地局が自律制御によってオン・オフセルのオフを行うシーケンス例を示す図である。同図に示すシーケンス例では、オン・オフセルが、自セルにおいて収集したトラヒック量に基づいてオンオフ判定を行う。オン・オフセルは、トラヒック量が十分に少ないため、状態をオフにすると判定した場合に、セル停止の承認要求をソースセルに送信する。
オン・オフセルは、セル停止の承認要求に対応して、ソースセルからセル停止許可を受信すると、セル切り替え手順を行い、オン・オフセル配下の移動無線端末をソースセルに受け渡す。ソースセルは、オン・オフセル配下の移動無線端末との通信を引き継ぎ、ユーザデータの送受信を開始する。セル切り替え手順の後に、オン・オフセルは、保持していた無線端末情報の解放又はオン・オフセルのオフの完了をソースセルに通知し、セルの状態をオフに遷移させる。
図１５に示すこの方式は、図１４と組み合わせて実施される場合もある。
【００１０】
図１６は、無線基地局が外部の装置の制御部からオン・オフ命令を受け取り、オン・オフを切り替えるシーケンス例を示す図である。
外部の装置の制御部は、移動無線端末との間で送受するユーザデータのトラヒック量が多い場合に、全体のスループットを向上させるため、オン・オフセルを起動してオン状態にすると判断し、オン・オフセルにセル起動要求を送信する。制御部からセル起動要求を受信したオン・オフセルは、セル起動要求を確認した旨を示すセル起動応答を返信し、セルの状態をオンに切り替える。そして、オン・オフセルは、セル切り替え手順又はセル登録手順を行ってセル配下の移動無線端末を収容し、移動無線端末との間でユーザデータを送受信する。
その後、制御部が、オン・オフセルをオフにする必要があると判断した場合、セル停止要求をオン・オフセルに送信する。停止要求を受信したオン・オフセルは、セル停止応答の返送後、セル切り替え手順を行って配下の移動無線端末を解放し、セルの状態をオフに切り替える。移動無線端末は切り替え先のセルを介してユーザデータを送受信する。
【００１１】
このようなセルラーシステムにおいては、無線基地局とその上位の装置間の接続形態として、ＰＯＮ（Passive optical network）システム等の光アクセスシステムを利用することが可能である。
【００１２】
図１７及び図１８は、ＰＯＮシステムの一例を示す図である。
図１７に示すＰＯＮシステムは、Ｃ−ＲＡＮ構成のセルラーシステムを収容している。Ｃ−ＲＡＮ構成のセルラーシステムを収容したＰＯＮシステムでは、ＢＢＵ８１０に接続される光装置はＯＬＴ（Optical Line Terminal、光加入者線終端装置）９１５であり、ＲＲＨ８２０に接続される光装置はＯＮＵ（Optical Network Unit、光加入者線ネットワーク装置)９２５である。ＯＬＴ９１５−ＯＮＵ９２５間は、光ファイバ７１０と光スプリッタ７２０により接続される。ＯＮＵ９２５からＯＬＴ９１５の方向の信号は上り信号、ＯＬＴ９１５からＯＮＵ９２５の方向の信号は下り信号である。
【００１３】
一方、図１８に示すＰＯＮシステムは、Ｄ−ＲＡＮ構成のセルラーシステムを収容している。Ｃ−ＲＡＮ構成のセルラーシステムを収容したＰＯＮシステムでは、上位装置８４０と接続される光装置はＯＬＴ９４５であり、無線基地局８３０と接続される光装置はＯＮＵ９３５である。ＯＬＴ９４５−ＯＮＵ９３５間は、光ファイバ７１０と光スプリッタ７２０により接続される。ＯＮＵ９３５からＯＬＴ９４５の方向の信号は上り信号、ＯＬＴ９４５からＯＮＵ９３５の方向の信号は下り信号である。
なお、図１７及び図１８においてＯＮＵ＃ｉ（ｉは１以上ｎ以下の整数）は、ｉ番目のＯＮＵであることを示す。
【００１４】
図１７及び図１８に示す構成では、光スプリッタ７２０を用いることにより光ファイバ７１０を集約し、経済性を向上させている。ＰＯＮの信号多重方法には、時間多重方式（ＴＤＭ）、波長多重方式（ＷＤＭ）、周波数多重方式（ＦＤＭ）、光コード多重方式（ＯＣＤＭ）等の採用が可能である。
【００１５】
図１９は、従来技術のＰＯＮシステムにおける上りリンクの帯域割当てのシーケンスを示す図である。同図におけるＯＬＴは、図１７におけるＯＬＴ９１５又は図１８におけるＯＬＴ９４５であり、同図におけるＯＮＵは、図１７におけるＯＮＵ９２５又は図１８におけるＯＮＵ９３５である。
下り通信の場合、ＯＬＴは、上位装置から受信した複数の下位装置宛ての下りデータ（下り信号）を多重した信号をＯＮＵに送信し、ＯＮＵは、受信した信号から所望の下りデータを抽出して下位装置に送信する。下りデータには、下位装置に割当てられた上りリンクの帯域を示す帯域情報が付加される。
一方、上り通信の場合、下位装置からＯＮＵに上りデータ（上り信号）が到来すると、ＯＮＵは、ＯＮＵ−ＯＬＴ間で通信を行い、ＯＬＴから送信許可を受信する。すなわち、ＯＮＵは、ＯＬＴに上り信号の受信を通知（Report）し、ＯＬＴから送信許可（Gate）を受信した後に、バッファリングしていた上りデータをＯＬＴに送信する。このＯＮＵ−ＯＬＴ間の通信を、上りリンクネゴシエーションと定義する。ＯＬＴは、ＯＮＵから受信した上り信号を、割当てられた帯域により上位装置に出力する。
【００１６】
一方、ＰＯＮシステムには、光アクセスネットワークでの低消費電力性を高めるため、スリープ機能が付加されている。
図２０は、スリープ機能を有するＰＯＮシステムの構成例を示す図である。
下りリンクに関して、ＯＬＴ９５０は、上位装置から信号を受信した後に、バッファ部２１０にその信号を待機させる。ＯＬＴ９５０は、バッファ部２１０から読み出された順に信号を下りフレーム処理部２２０に出力する。下りフレーム処理部２２０は、バッファ部２１０から出力された信号のフレームを、ＰＯＮシステムで用いられるフレームに変換する。このとき、下りフレーム処理部２２０は、スリープ／起動制御部９５１からスリープ機能に関する制御情報を受け取り、制御信号としてフレームに挿入する。Ｅ／Ｏ変換部は２３０、上り信号を電気信号から光信号に変換した後に、光ファイバ５００に送る。ＯＮＵ９６０のＯ／Ｅ変換部３１０は、光ファイバ５００により伝送された光信号を受信して電気信号に変換し、下りフレーム処理部３２０に出力する。下りフレーム処理部３２０は、Ｏ／Ｅ変換部３１０から受信した信号を、ＰＯＮフレームから所望のフレームに変換し、下位装置に出力する。ここで、下りフレーム処理部３２０は、ＯＬＴ９５０から送信されたスリープ機能に関する制御信号を電気信号から取得してスリープ／起動命令読取部９６１に出力する。スリープ／起動命令読取部９６１は、制御信号がスリープ命令である場合に休止部３７０に通知し、休止部３７０は、ＯＮＵ９６０をスリープ状態に遷移させる。
【００１７】
上りリンクに関して、ＯＮＵ９６０は、下位装置から信号を受信した後に、バッファ部３３０に信号を待機させ、バッファ部３３０から読み出された順に信号を上りフレーム処理部３４０に出力する。上りフレーム処理部３４０は、バッファ部３３０から出力された信号のフレームを、ＰＯＮシステムで用いられるフレームに変換する。このとき、スリープ／起動命令読取部９６１は、ＯＬＴ９５０からの制御信号を受信することにより行った処理内容についての応答を生成し、上りフレーム処理部３４０は、生成された応答をフレームに挿入する。Ｅ／Ｏ変換部３５０は、電気信号を光信号に変換した後に、光ファイバ５００に送る。ＯＬＴ９５０のＯ／Ｅ変換部２４０は、受信した光信号を電気信号に変換して上りフレーム処理部２５０に出力する。上りフレーム処理部２５０は、ＯＮＵ９６０からの応答を受信した後に、その応答をスリープ／起動制御部９５１に出力して動作を完了する。
【００１８】
ＯＮＵのスリープ機能を実現する制御メッセージや状態遷移図は、ＩＴＵ-Ｔ  Ｇ．９８７．３（非特許文献３）で規定されている。非特許文献３には、ＯＬＴが各ＯＮＵにスリープを許可／禁止するためのSleep Allow(ON), Sleep Allow(OFF)、ＯＮＵがＯＬＴに対してスリープ／起動を要求するSleep request(Sleep), Sleep request(Awake)等のメッセージが規定されている。ＯＬＴは、Ｇ．９８７．３に基づくＰＯＮスリープの制御に従って、ＯＮＵのスリープ状態を管理している。
【００１９】
図２１は、図２０に示すＰＯＮシステムにおいて、ＯＮＵ９６０が起動状態からスリープ起動に遷移し、スリープ状態から起動状態に遷移するまでの手順を示すシーケンス図である。
ＯＬＴ９５０は、ＯＮＵ９６０が起動（オン）状態であるときには、ＯＮＵ９６０に下りデータを送信する。ＯＬＴ９５０は、ＯＮＵ９６０の上り／下りフレームを検知しなかった場合、そのＯＮＵ９６０にSleep Allow(ON)を送信する。ＯＮＵ９６０は、Sleep Allow(ON)を受信すると、スリープ状態に遷移できると判断した場合、ＯＬＴ９５０にSleep request(Sleep)を送信してからスリープ状態に入る。スリープは周期的なものである。ＯＮＵ９６０は、上りトラヒックが発生するか、ＯＬＴ９５０からSleep Allow(OFF)を受信した場合に、スリープ状態から起動状態に遷移する。
【００２０】
ＯＬＴ９５０は、ＯＮＵ９６０宛ての下りデータが発生した場合、バッファ部２１０に下りデータを記憶しておき、復帰周期の終了後にSleep Allow(OFF)をＯＮＵ９６０に送信する。ＯＮＵ９６０は、起動状態に遷移すると、ＯＬＴ９５０にSleep Allow(OFF)を送信する。ＯＮＵ９６０は、Sleep Allow(OFF)を受信すると、起動状態に遷移できると判断した場合、ＯＬＴ９５０にSleep request(Awake)を送信する。ＯＬＴ９５０は、Sleep request(Awake)を受信すると、下りデータをバッファ部２１０から読み出してＯＮＵ９６０に伝送する。
【００２１】
セルラーシステムにおいても、無線端末でのバッテリーセービング技術として間欠受信やＶＯＸ（voice Operated Transmitter）制御機能が備わっており、低消費電力化に努めている。また、セルラーシステムと光アクセスシステムでの低消費電力化技術はそれぞれ独立に動作しているが、無線端末とＰＯＮシステムにて連携しスリープ機能を具備する技術は既に提案されている（例えば、特許文献１〜３参照）。移動無線端末を百台から数百台収容する無線基地局において、移動無線端末と連携し、光アクセスシステムの装置をスリープしたとしてもスリープ時間は短く十分な効果が得られる可能性は低いと考えられる。それと比較して、無線基地局と連携し、光アクセスシステムの装置をスリープさせた場合、十分なスリープ時間を確保することが可能となり、高い低消費電力性能を得ることができると考えられる。しかしながら、無線基地局でのオン・オフと光アクセスシステムのスリープ機能が連携したシステムは提案されておらず、それぞれ独立して動作している。
【先行技術文献】
【特許文献】
【００２２】
【特許文献１】国際公開第２０１４／１０３８０４号
【特許文献２】国際公開第２０１４／０５０８９８号
【特許文献３】特開２０１４−２２２８３０号公報
【非特許文献】
【００２３】
【非特許文献１】3GPP，"Scenarios and requirements for small cell enhancements for E-UTRA and E-UTRAN"，3GPP TR 36.932(V12.1.0)，2013年
【非特許文献２】3GPP，"Small cell enhancements for E-UTRA and E-UTRAN - Physical layer aspects"，3GPP TR 36.872(V12.1.0)，2013年
【非特許文献３】ITU-T，"10-Gigabit-capable passive optical networks(XG-PON): Transmission convergence (TC) layer specification"，Recommendation ITU-T G.987.3，2014年
【発明の概要】
【発明が解決しようとする課題】
【００２４】
従来技術では、セルラーシステム（通信システム）における無線基地局（通信装置）のオン・オフと光アクセスシステム（伝送システム）のスリープ機能とが連携しておらず、それぞれ独立して動作している。このため、オン・オフセルを光アクセスシステムで収容する際に、無線基地局がオフ（停止）状態であるにも関わらず光アクセスシステムがオン（起動）状態にある場合が予想される。トラヒックが無いにも関わらず光アクセスシステムが起動しているため、消費電力の増大に繋がる。また、無線基地局がオン状態にも関わらず光アクセスシステムがスリープ状態にある場合がある。この時、光アクセスシステムが起動状態に遷移するまで無線基地局は送受信を行えないため、遅延が増大する。さらに、光アクセスシステムが起動するまで情報をバッファリングする必要があり、必要なメモリ容量の増加にも繋がる。
【００２５】
上記事情に鑑み、本発明は、通信システムにおける通信を伝送システムが中継して伝送する場合に、通信システムが有する通信装置の起動又は停止の制御と、伝送システムのスリープ制御とを連携することができる連携通信システム及び状態連携方法を提供することを目的としている。
【課題を解決するための手段】
【００２６】
本発明の一態様は、通信システムが有する第一通信装置と第二通信装置との間の通信を伝送システムが伝送する連携通信システムであって、前記伝送システムは、前記第一通信装置が有する通信機能の起動又は停止の状態の遷移を表す状態遷移情報を取得する情報取得部と、予め決められたスケジュールに従って前記伝送システムの状態遷移を制御する処理と、前記状態遷移情報が表す遷移の状態と前記状態遷移情報が取得されたときの前記伝送システムの状態とが対応しない場合に、前記状態遷移情報が表す遷移の状態に従って前記伝送システムの起動又は休止の状態への切換えを制御する処理とを行う状態制御部と、を備えることを特徴とする連携通信システムである。
【００２７】
また、本発明の一態様は、上述した連携通信システムであって、前記伝送システムは、前記第一通信装置に接続される第一伝送装置と、前記第二通信装置に接続される第二伝送装置とを有し、前記第二伝送装置は、前記情報取得部と、前記状態制御部とを備え、前記第一伝送装置は、前記状態制御部による制御に従って自装置を起動又は休止する休止部を備える、ことを特徴とする。
【００２８】
また、本発明の一態様は、上述した連携通信システムであって、前記伝送システムは、前記第一通信装置に接続される第一伝送装置と、前記第二通信装置に接続される第二伝送装置とを有し、前記第一伝送装置は、前記情報取得部と、前記状態制御部と、前記状態制御部による制御に従って自装置を起動又は休止する休止部とを備える、ことを特徴とする。
【００２９】
本発明の一態様は、上述した連携通信システムであって、前記第一伝送装置と前記第二伝送装置とは光伝送により通信する、ことを特徴とする。
【００３０】
また、本発明の一態様は、上述した連携通信システムであって、前記情報取得部は、前記第一通信装置と前記第二通信装置との間の通信を行う回線とは異なる回線により前記通信システムから前記状態遷移情報を取得する、ことを特徴とする。
【００３１】
また、本発明の一態様は、上述した連携通信システムであって、前記情報取得部は、前記第一通信装置と前記第二通信装置との間の通信を監視して前記状態遷移情報を取得する、ことを特徴とする。
【００３２】
本発明の一態様は、通信システムが有する第一通信装置と第二通信装置との間の通信を伝送システムが伝送する連携通信システムが実行する状態連携方法であって、前記伝送システムが、前記第一通信装置が有する通信機能の起動又は停止の状態の遷移を表す状態遷移情報を取得する情報取得ステップと、予め決められたスケジュールに従って前記伝送システムの状態遷移を制御する処理と、前記状態遷移情報が表す遷移の状態と前記状態遷移情報が取得されたときの前記伝送システムの状態とが対応しない場合に、前記状態遷移情報が表す遷移の状態に従って前記伝送システムの起動又は休止の状態への切換えを制御する処理とを行う状態制御ステップと、を有することを特徴とする状態連携方法である。
【発明の効果】
【００３３】
本発明により、通信システムにおける通信を伝送システムが中継して伝送する場合に、通信システムが有する通信装置の起動又は停止の制御と、伝送システムのスリープ制御とを連携することが可能となる。
【図面の簡単な説明】
【００３４】
【図１】本発明の第１の実施形態による連携通信システムの構成を示すブロック図である。
【図２】同実施形態の連携通信システムがセルをオンにする場合のシーケンス図である。
【図３】同実施形態の連携通信システムがセルをオフにする場合のシーケンス図である。
【図４】第２の実施形態による連携通信システムの構成を示すブロック図である。
【図５】同実施形態の連携通信システムが無線基地局をオンにする場合のシーケンス図である。
【図６】同実施形態の連携通信システムが無線基地局をオフにする場合のシーケンス図である。
【図７】同実施形態の連携通信システムが無線基地局をオフにする場合のシーケンス図である。
【図８】同実施形態の連携通信システムの他の構成を示すブロック図である。
【図９】第３の実施形態による連携通信システムの構成を示すブロック図である。
【図１０】同実施形態の連携通信システムが無線基地局をオンにする場合のシーケンス図である。
【図１１】同実施形態の連携通信システムが無線基地局をオフにする場合のシーケンス図である。
【図１２】第５の実施形態による連携通信システムの構成を示すブロック図である。
【図１３】従来技術のセルの構成を示す図である。
【図１４】従来技術の無線基地局が自律制御によってオン・オフセルのオン・オフを行うシーケンス例を示す図である。
【図１５】従来技術の無線基地局が自律制御によってオン・オフセルのオフを行うシーケンス例を示す図である。
【図１６】従来技術の無線基地局が外部の装置の制御部からオン・オフ命令を受け取り、オン・オフを切り替えるシーケンス例を示す図である。
【図１７】従来技術のＰＯＮシステムの例を示す図である。
【図１８】従来技術のＰＯＮシステムの例を示す図である。
【図１９】従来技術のＰＯＮシステムにおける上りリンクの帯域割当てのシーケンスを示す図である。
【図２０】従来技術のＰＯＮシステムの構成例を示す図である。
【図２１】従来技術のＰＯＮシステムにおけるＯＮＵの状態遷移の手順を示すシーケンス図である。
【発明を実施するための形態】
【００３５】
以下、図面を参照しながら本発明の実施形態を詳細に説明する。
本発明の実施形態による連携通信システムは、セルラーシステム（通信システム）における通信を、光アクセスシステム（伝送システム）が中継して光伝送する構成である。セルラーシステムの無線基地局は光アクセスシステムと接続されており、連携通信システムは、セルラーシステムにおける無線基地局のオン・オフの切り替え動作と、光アクセスシステムのスリープ制御とを連動させる。これにより、連携通信システムの通信遅延時間や消費電力の増加を防ぐ。
【００３６】
本発明の実施形態における光アクセスシステムの例として、ＰＯＮ（Passive optical network）システムが挙げられる。しかし、本発明の実施形態における光アクセスシステムは、ＰＯＮシステムに限らない。スリープ制御等を行うための構成は他の伝送システムでも適用可能である。他の伝送システムの一例としては、光メディアコンバータが挙げられる。ＰＯＮシステムにおける光装置は、例えば、ＯＬＴ（Optical Line Terminal、光加入者線終端装置）、ＯＮＵ（Optical Network Unit、光加入者線ネットワーク装置)である。
【００３７】
また、本発明の実施形態におけるセルラーシステムの構成として、Ｄ−ＲＡＮ（Distributed Radio Access Network）構成と、Ｃ−ＲＡＮ（Centralized Radio Access Network）構成との二つが考えられる。Ｄ−ＲＡＮ構成は、いくつかの無線基地局が代表無線基地局に集約される集中型の構成である。Ｃ−ＲＡＮ構成は、無線基地局が信号処理部（ＢＢＵ: Baseband Unit）とアンテナ部（ＲＲＨ: Remote Radio Head）に分割されており、一か所に集約されたＢＢＵで複数のＲＲＨを収容する分散型の構成である。本発明の実施形態は、両構成のセルラーシステムに適用可能である。
【００３８】
本発明の実施形態では、無線基地局のオン・オフの状態遷移情報を光アクセスシステムがセルラーシステムから受け取り、その情報を基に光アクセス装置の起動（オン）・スリープ（オフ）状態も遷移させる。これにより、光アクセスシステムを低消費電力化できる。無線基地局の状態遷移情報の取得方法として、セルラーシステムが光アクセスシステムへ状態遷移情報を伝送する場合と、セルラーシステムでやりとりされている情報を基に光アクセスシステムが推定する場合とが考えられる。以下に各実施形態を説明する。
【００３９】
［第１の実施形態］
本実施形態の連携通信システムに用いられる光アクセスシステムはＰＯＮシステムであり、自律制御によりセルのオン・オフを切り替えるセルラーシステムを収容する。
図１は、本発明の第１の実施形態による連携通信システム１００の構成を示すブロック図である。同図において、図２０に示す従来技術のＰＯＮシステムと同一の部分には同一の符号を付している。連携通信システム１００に収容されるセルラーシステムの構成はＣ−ＲＡＮである。つまり、連携通信システム１００は、無線基地局のＢＢＵ４１０（第二通信装置）とＲＲＨ４２０（第一通信装置）とが、光装置を介して光ファイバ５００により接続された構成である。ＢＢＵ４１０に接続される光装置はＯＬＴ２００（第二伝送装置）であり、ＲＲＨ４２０に接続される光装置はＯＮＵ３００（第一伝送装置）である。なお、同図においては、ＯＮＵ３００を一台のみ示しているが、複数台が備えられ得る。この場合、光スプリッタが、１本の光ファイバ５００で伝送される光信号を複数に分配することにより、１台のＯＬＴ２００と複数台のＯＮＵ３００とが接続される。
【００４０】
ＯＬＴ２００は、バッファ部２１０、下りフレーム処理部２２０、Ｅ／Ｏ変換部２３０、Ｏ／Ｅ変換部２４０、上りフレーム処理部２５０、セルオン・オフ情報取得部２６０（情報取得部）、及び、スリープ／起動制御部２７０（状態制御部）を備えて構成される。
【００４１】
バッファ部２１０は、ＢＢＵ４１０から受信した下り信号を一時的に記憶した後に出力するバッファリングを行う。下りフレーム処理部２２０は、バッファ部２１０から出力された下り信号のフレームを、ＰＯＮシステムで用いられるフレームに変換する。Ｅ／Ｏ変換部２３０は、下りフレーム処理部２２０がフレーム変換した下り信号を電気信号から光信号に変換し、光ファイバ５００に出力する。
【００４２】
Ｏ／Ｅ変換部２４０は、光ファイバ５００により伝送された光信号を受信して電気信号に変換し、上りフレーム処理部２５０に出力する。上りフレーム処理部２５０は、Ｏ／Ｅ変換部２４０により電気信号に変換された上り信号のフレームを、ＰＯＮフレームから所望のフレームに変換し、ＢＢＵ４１０に出力する。
【００４３】
セルオン・オフ情報取得部２６０は、ＢＢＵ４１０からセルオン・オフ情報を受信し、スリープ／起動制御部２７０に出力する。セルオン・オフ情報は、セルの状態のオンまたはオフへの遷移を示す情報である。セルの状態がオンへ遷移するということは、ＲＲＨ４２０（無線基地局）における移動無線端末との通信機能が起動（オン）状態へ遷移することを示す。また、セルの状態がオフへ遷移するということは、ＲＲＨ４２０（無線基地局）における移動無線端末との通信機能の状態が停止（オフ）へ遷移することを表す。つまり、セルオン・オフ情報は、無線基地局が有する移動無線端末との通信機能の状態の遷移を表す状態遷移情報でもある。
【００４４】
スリープ／起動制御部２７０は、ＯＮＵ３００のスリープ及び起動を、予め決められたスケジュールに従って、例えば、周期的に制御することに加え、セルオン・オフ情報に基づいて制御する。そのため、スリープ／起動制御部２７０は、各ＯＮＵ３００がスリープ状態であるか起動状態であるかを管理している。スリープ／起動制御部２７０は、セルオン・オフ情報にセルのオン状態への遷移が設定されている場合、そのセルのＲＲＨ４２０（無線基地局）と接続されているＯＮＵ３００がスリープ状態であれば、起動するよう指示する。また、スリープ／起動制御部２７０は、セルオン・オフ情報にセルのオフ状態への遷移が設定されている場合、そのセルのＲＲＨ４２０（無線基地局）と接続されているＯＮＵ３００が起動状態であれば、スリープ状態に遷移するよう指示する。
【００４５】
ＯＮＵ３００は、Ｏ／Ｅ変換部３１０、下りフレーム処理部３２０、バッファ部３３０、上りフレーム処理部３４０、Ｅ／Ｏ変換部３５０、スリープ／起動命令読取部３６０、及び、休止部３７０を備えて構成される。
【００４６】
Ｏ／Ｅ変換部３１０は、光ファイバ５００により伝送された光信号を受信して電気信号に変換し、下りフレーム処理部３２０に出力する。下りフレーム処理部３２０は、Ｏ／Ｅ変換部３１０により電気信号に変換された下り信号のフレームを、ＰＯＮフレームから所望のフレームに変換し、ＲＲＨ４２０に出力する。
【００４７】
バッファ部３３０は、ＲＲＨ４２０から受信した上り信号を一時的に記憶してから出力するバッファリングを行う。上りフレーム処理部３４０は、バッファ部３３０から出力された上り信号のフレームを、ＰＯＮシステムで用いられるフレームに変換する。Ｅ／Ｏ変換部３５０は、上りフレーム処理部３４０がフレーム変換した電気信号を光信号に変換した後に、光ファイバ５００に出力する。
【００４８】
スリープ／起動命令読取部３６０は、下りフレーム処理部３２０がフレーム変換した下り信号からスリープ命令や起動命令など、ＯＮＵ３００のスリープ／起動状態に関する制御信号を取得する。休止部３７０は、スリープ／起動命令読取部３６０が起動命令を取得した場合にＯＮＵ３００を起動状態に遷移させ、スリープ命令を取得した場合にＯＮＵ３００をスリープ（休止）状態に遷移させる。
【００４９】
Ｃ−ＲＡＮ構成では、セルの状態をオンにするかオフにするかを判定するオン・オフ判定部がＢＢＵ４１０に配置されていると考えられる。そのため、オン・オフ判定の決定に関する情報は、光アクセス区間では送受信されない。なお、オン・オフ判定をＲＲＨ４２０が行う場合は、後述する第２の実施形態と同様になる。以下では、オン・オフを行う対象のセルのＲＲＨ４２０を、オン・オフＲＲＨ４２０とも記載する。なお、セルをオンにするとは、ＲＲＨ４２０（無線基地局）が有する移動無線端末との通信機能の状態を起動（オン）にすることであり、セルをオフにするとは、ＲＲＨ４２０（無線基地局）が有する移動無線端末との通信機能の状態を停止（オフ）にすることである。
【００５０】
ＯＬＴ２００は、ＢＢＵ４１０からセルオン・オフの情報を受信し、ＯＮＵ３００をスリープさせるか、あるいは、起動させるかのスリープ判定を行う。ＯＬＴ２００のスリープ／起動制御部２７０は、判定結果に基づく制御情報をＯＮＵ３００に送信し、ＯＮＵ３００のスリープ／起動命令読取部３６０はその制御情報を読み取る。ＯＮＵ３００の休止部３７０は、スリープ／起動命令読取部３６０が読み取った制御情報に従って、ＯＮＵ３００のスリープ／起動の状態遷移を行う。そして、制御情報に従ってＯＮＵ３００の状態に変更があった場合、スリープ／起動命令読取部３６０は、制御情報に対する応答を生成し、上り制御信号に付与してＯＬＴ２００に送信する。
【００５１】
図２及び図３を用いて、連携通信システム１００によるセルのオン・オフに関する動作を詳細に説明する。
セルをオンにする場合、ＢＢＵ４１０は、セル起動要求を送信する。ＯＬＴ２００はそのセル起動要求を受信すると、ＯＮＵ３００を起動状態に遷移させるための命令を送信する。ＯＮＵ３００は、ＯＬＴ２００からの命令に従って起動した後に、ＯＬＴ２００からセル起動要求を受信してオン・オフＲＲＨ４２０に送信する。セル起動後は、従来の手法通りにセル切り替え手順又はセル登録手順を踏み、オン・オフＲＲＨ４２０の起動を完了する。
【００５２】
図２は、連携通信システム１００がセルをオンにする場合のシーケンス図である。
オン・オフＲＲＨ４２０はオフであり、ＯＮＵ３００はスリープ状態であるが、周期的に起動する。ＢＢＵ４１０は、ソースセルの無線基地局又はソースセルの通信を管理する外部装置（以下、「ソースセル」と記載する。）に、トラヒック量要求を送信し、トラヒック量情報の送信を要求する（ステップＳ１０５）。ソースセルは、ＢＢＵ４１０が信号処理を行っている各セルのトラヒック量を示すトラヒック量情報を、トラヒック量通知によりＢＢＵ４１０に通知する（ステップＳ１１０）。トラヒック量情報はセルと、そのセルに収容されている移動無線端末との間でやりとりされるトラヒック量を示す。ＢＢＵ４１０は、受信したトラヒック量情報に基づいて各セルの状態をオンにするかオフにするかのオンオフ判定を行う（ステップＳ１１５）。ＢＢＵ４１０は、現在状態がオフであるオン・オフＲＲＨ４２０のセルをオンにすると判定した場合、そのセルの起動を承認するようソースセルに要求する（ステップＳ１２０）。ソースセルは、セルの起動を承認した場合、セル起動許可をＢＢＵ４１０に返送する（ステップＳ１２５）。ＢＢＵ４１０は、セル起動許可を受信すると、オン・オフＲＲＨ４２０のセルの起動を要求するセル起動要求を、オン・オフＲＲＨ４２０宛の信号を送信する回線とは別の回線によりＯＬＴ２００に送信する（ステップＳ１３０）。このセル起動要求は、セルオン・オフ情報に相当する。
【００５３】
ＯＬＴ２００のセルオン・オフ情報取得部２６０は、ＢＢＵ４１０から受信したセル起動要求を、セルオン・オフ情報としてスリープ／起動制御部２７０に出力する。スリープ／起動制御部２７０は、受信したセルオン・オフ情報によりスリープ判定を行う（ステップＳ１３５）。すなわち、スリープ／起動制御部２７０は、セルオン・オフ情報として受信したセル起動要求によりオン・オフＲＲＨ４２０のセルの起動が要求されたことを認識すると、オン・オフＲＲＨ４２０に接続されるＯＮＵ３００がスリープ状態であるか起動状態であるかを判定する。スリープ／起動制御部２７０は、ＯＮＵ３００がスリープ状態であると判断した場合、下りフレーム処理部２２０にSleep Allow(OFF)を出力する。下りフレーム処理部２２０は、Sleep Allow(OFF)が設定された下り制御信号をＥ／Ｏ変換部２３０に出力し、ＯＮＵ３００に送信する（ステップＳ１４０）。
【００５４】
ＯＮＵ３００のスリープ／起動命令読取部３６０は、下りフレーム処理部３２０がフォーマット変換を行った下り制御信号からSleep Allow(OFF)を取得する。スリープ／起動命令読取部３６０は、Sleep Allow(OFF)を読取ると、起動状態に遷移できると判断した場合、上りフレーム処理部３４０にSleep request(Awake)を出力する。上りフレーム処理部３４０は、Sleep request(Awake)を設定した上り制御信号をＥ／Ｏ変換部３５０に出力し、ＯＬＴ２００に送信する（ステップＳ１４５）。
【００５５】
ＯＬＴ２００のスリープ／起動制御部２７０が、上りフレーム処理部２５０によりフォーマット変換された上り制御信号からSleep request(Awake)を取得すると、下りフレーム処理部２２０にセル起動要求を出力する。Ｅ／Ｏ変換部２３０は、下りフレーム処理部２２０がフォーマット変換を行ったセル起動要求をＯＮＵ３００に送信する（ステップＳ１５０）。
【００５６】
ＯＮＵ３００の下りフレーム処理部３２０は、ＯＬＴ２００から受信したセル起動要求のフォーマットを変換し、オン・オフＲＲＨ４２０に送信する（ステップＳ１５５）。オン・オフＲＲＨ４２０は、セル起動要求を受信するとセルを起動し、セル起動応答をＯＮＵ３００に送信する（ステップＳ１６０）。ＯＮＵ３００のバッファ部３３０は、受信したセル起動応答をバッファリングする。ＯＮＵ３００は、ＯＬＴ２００との間で上りリンクネゴシエーションを行う（ステップＳ１６５）。ＯＮＵ３００がＯＬＴ２００から送信許可を受信すると、バッファ部３３０はセル起動応答を上りフレーム処理部３４０に出力する。Ｅ／Ｏ変換部３５０は、上りフレーム処理部３４０がフォーマット変換したセル起動応答をＯＬＴ２００に送信する（ステップＳ１７０）。
【００５７】
ＯＬＴ２００の上りフレーム処理部２５０は、ＯＮＵ３００から受信したセル起動応答をＢＢＵ４１０に出力する（ステップＳ１７５）。ＢＢＵ４１０は、受信したセル起動応答をソースセルに送信する（ステップＳ１８０）。ソースセルは、オン・オフＲＲＨ４２０との間で、従来技術と同様にセル切り替え手順又はセル登録手順を実行する（ステップＳ１８５）。これにより、オン・オフＲＲＨ４２０は、配下のセルの移動無線端末を収容し、ＢＢＵ４１０は、オン・オフＲＲＨ４２０に収容された移動無線端末とユーザデータを送受信する（ステップＳ１９０）。
【００５８】
なお、ステップＳ１３０において、ＢＢＵ４１０は、オン・オフＲＲＨ４２０宛にセル起動要求を送信してもよい。この場合、ステップＳ１３５において、ＯＬＴ２００のバッファ部２１０は、ＢＢＵ４１０から受信したセル起動要求をバッファリングする。セルオン・オフ情報取得部２６０は、バッファ部２１０にバッファリングされたセル起動要求をセルオン・オフ情報として取得し、スリープ／起動制御部２７０に出力する。そして、ステップＳ１４５において、ＯＬＴ２００のスリープ／起動制御部２７０が上り制御信号からSleep request(Awake)を取得すると、ステップＳ１５０において、バッファ部２１０は、セル起動要求を下りフレーム処理部２２０に出力する。Ｅ／Ｏ変換部２３０は、下りフレーム処理部２２０がフォーマット変換を行ったセル起動要求をＯＮＵ３００に送信する。
【００５９】
図３は、連携通信システム１００がセルをオフにする場合のシーケンス図である。
オン・オフＲＲＨ４２０のセルをオフ状態に遷移させるための制御の手順は、ＢＢＵ４１０とソースセルのやり取りの結果、ＢＢＵ４１０がセルをオフ状態に遷移させると判断した場合に開始される。ＯＮＵ３００とオン・オフＲＲＨ４２０は起動状態にあるため、セルの停止要求をオン・オフＲＲＨ４２０に送信する手順は従来通りの通信にて行われる。オン・オフＲＲＨ４２０は、ＢＢＵ４１０が送信したセル停止要求を受信し、セル停止要求を確認したことをＢＢＵ４１０に返信する。そして、オン・オフＲＲＨ４２０は、ソースセルもしくは他の近隣セルとセル切り替え手順を行った後に無線端末情報を解放する。その後、ＢＢＵ４１０は、セル停止が確定したことを知らせる情報をオン・オフＲＲＨ４２０に送信し、オフ状態にする。その際、オン・オフＲＲＨ４２０は停止したこと示す旨（セル停止応答）を返信する。ＢＢＵ４１０は、オン・オフＲＲＨ４２０が停止中であることをＯＬＴ２００に通知する。ＯＬＴ２００はその通知を基にＯＮＵ３００をスリープ状態に遷移させる。
【００６０】
例えば図２の動作の後、ＢＢＵ４１０は、ソースセルにトラヒック量要求を送信し（ステップＳ２０５）、ソースセルは、トラヒック量通知をＢＢＵ４１０に返送する（ステップＳ２１０）。ＢＢＵ４１０は、受信したトラヒック量情報に基づいてオンオフ判定を行う（ステップＳ２１５）。ＢＢＵ４１０は、現在の状態がオンであるオン・オフＲＲＨ４２０のセルをオフにすると判定した場合、そのセルの停止を承認するようソースセルに要求する（ステップＳ２２０）。ソースセルは、セルの停止を承認すると、セル停止許可をＢＢＵ４１０に返送する（ステップＳ２２５）。ＢＢＵ４１０は、セル停止許可を受信すると、オン・オフＲＲＨ４２０宛のセル停止要求をＯＬＴ２００に送信する（ステップＳ２３０）。
【００６１】
ＯＬＴ２００は、ＢＢＵ４１０から受信したセル停止要求をＯＮＵ３００に送信する（ステップＳ２３５）。ＯＮＵ３００は、受信したセル停止要求をオン・オフＲＲＨ４２０に送信する（ステップＳ２４０）。オン・オフＲＲＨ４２０は、セル停止要求を受信すると、セル停止応答をＯＮＵ３００に送信する（ステップＳ２４５）。ＯＮＵ３００は、ＯＬＴ２００との間で上りリンクネゴシエーションを行う（ステップＳ２５０）。ＯＮＵ３００は、ＯＬＴ２００から送信許可を受信すると、バッファリングしていたセル停止要求をＯＬＴ２００に送信する（ステップＳ２５５）。
【００６２】
ＯＬＴ２００は、受信したセル停止応答をＢＢＵ４１０に送信し（ステップＳ２６０）、ＢＢＵ４１０は、受信したセル停止応答をソースセルに送信する（ステップＳ２６５）。ソースセルは、オン・オフＲＲＨ４２０との間で、セル切り替え手順を実行する（ステップＳ２７０）。これにより、ソースセルは、オフとするセルの配下の移動無線端末を収容し、ソースセルは移動無線端末とユーザデータを送受信する（ステップＳ２７５）。
【００６３】
セル切り替え手順が完了し、ソースセルと移動無線端末との間でユーザデータの送受信が開始されると、ＢＢＵ４１０は、無線端末情報解放通知をソースセルに送信し（ステップＳ２８０）、セル停止確定要求をＯＬＴ２００に送信する（ステップＳ２８５）。ＯＬＴ２００は、受信したセル停止確定要求をＯＮＵ３００に送信し（ステップＳ２９０）、ＯＮＵ３００は受信したセル停止確定要求をオン・オフＲＲＨ４２０に送信する（ステップＳ２９５）。オン・オフＲＲＨ４２０は、セル停止確定要求を受信すると、セルの状態をオフにし、セル停止応答を返送する（ステップＳ３００）。ＯＮＵ３００は、セル停止応答をバッファリングすると、ＯＬＴ２００との間で上りリンクネゴシエーションを行う（ステップＳ３０５）。ＯＮＵ３００は、ＯＬＴ２００から送信許可を受信すると、バッファリングしていたセル停止応答をＯＬＴ２００に送信する（ステップＳ３１０）。ＯＬＴ２００は、受信したセル停止応答をＢＢＵ４１０に送信する（ステップＳ３１５）。
【００６４】
ＢＢＵ４１０は、オン・オフＲＲＨ４２０のセルが停止中であることをＯＬＴ２００に通知する（ステップＳ３２０）。ＯＬＴ２００のセルオン・オフ情報取得部２６０は、セル停止中の通知を受信すると、セルオン・オフ情報としてスリープ／起動制御部２７０に出力する。スリープ／起動制御部２７０は、セル停止中の通知によってオン・オフＲＲＨ４２０のセルがオフに遷移したことを認識すると、セルオン・オフＲＲＨ４２０に接続されているＯＮＵ３００がスリープ状態であるか起動状態であるかを判定するスリープ判定を行う（ステップＳ３２５）。スリープ／起動制御部２７０は、セルをオフにしたオン・オフＲＲＨ４２０に接続されているＯＮＵ３００が起動状態であると判定した場合、そのＯＮＵ３００宛のSleep Allow(ON)を、下りフレーム処理部２２０に出力する。下りフレーム処理部２２０は、Sleep Allow(ON)が設定された下り制御信号をＥ／Ｏ変換部２３０に出力し、ＯＮＵ３００に送信する（ステップＳ３３０）。
【００６５】
ＯＮＵ３００のスリープ／起動命令読取部３６０は、下りフレーム処理部３２０がフォーマット変換を行った下り制御信号からSleep Allow(ON)を読取ると、スリープ状態に遷移できると判断した場合、上りフレーム処理部３４０にSleep request(Sleep)を出力する。上りフレーム処理部３４０は、Sleep request(Sleep)を設定した上り制御信号をＥ／Ｏ変換部３５０に出力し、ＯＬＴ２００に送信する（ステップＳ３３５）。休止部３７０は、ＯＮＵ３００をスリープ状態に遷移させる。ＯＬＴ２００のセルオン・オフ情報取得部２６０は、下り制御信号からSleep Allow(Sleep)を読取るとスリープ／起動制御部２７０に出力する。
【００６６】
従来は、下りリンクにおいて、定期的にＯＬＴからＯＮＵにオン命令を送信し起動していた。よって、オン命令が送信されるまではスリープ状態のために信号をバッファリングする必要があった。本実施形態においては、ＯＬＴ２００が、ＢＢＵ４１０から送られるセル起動の情報を基にＯＮＵ３００に起動命令を送信するため、従来よりも低遅延で動作することができる。また、上りリンクについては、ＯＬＴ２００がＢＢＵ４１０からセル停止の通知を受け、ＯＮＵ３００にスリープ命令を送信するため、従来よりもＯＮＵ３００のスリープ時間を効率良く長期に渡って確保することが可能となる。これにより、低消費電力化が可能となる。
【００６７】
なお、シーケンスの手順を入れ替えることで、より低遅延な構成を取ることも可能である。例えば、図２及び図３に示すシーケンスでは、オン・オフＲＲＨ４２０からＢＢＵ４１０へのセル起動応答又はセル停止応答を伝送する際、上りリンクネゴシエーションを実行するため、遅延が発生する。そこで、上りリンクの帯域割当を予め行うことで、ＲＲＨ４２０−ＢＢＵ４１０間の遅延を減らすこともまた可能となる。例えば、ＢＢＵ４１０からＲＲＨ４２０宛の信号を送信したとき、ＲＲＨ４２０は定められた時間以内にＢＢＵ４１０へその信号に対する応答を返送する。応答の返送が既知であるため、ＯＮＵ３００に予め帯域を割り当てておけば、ＲＲＨ４２０からの応答を低遅延にＢＢＵ４１０に送信することができる。
【００６８】
また、図２のシーケンスでは、ＯＮＵ３００は、Sleep Allow(OFF)を受信してSleep request(Awake)を返送し、セル起動要求を受信する。ここでＯＮＵ３００がSleep Allow(OFF)を受信した際、次にセル起動要求を受信することは予測できる。このためＯＮＵ３００が起動した際に、オン・オフＲＲＨ４２０にセル起動要求に対応する命令を自律的もしくはＯＬＴ２００から命令を受け送信することで低遅延化を図ることも可能である。
【００６９】
ＲＲＨ４２０とＯＮＵ３００の停止タイミングの同期もまた重要である。ＲＲＨ４２０が半日や一日のように長時間に亘って停止状態に入るときには、その周期に合わせ無線基地局から信号を受信し、ＯＮＵ３００も同周期に亘って長時間スリープする機能が具備されることも考えられる。
【００７０】
また、図１に示すＯＬＴ２００は、セルオン・オフ情報取得部２６０を備えているが、セルオン・オフ情報取得部２６０を外部の装置に配備し、そこからＯＬＴ２００にオン・オフ情報を通知する構成を取ることも可能である。
【００７１】
なお、上述した説明及び図２及び図３に記載のシーケンス名は、実際にやりとりされている命名規則に準拠しているものではなく、簡易な名称として定義している。
また、本実施形態ではＯＮＵ３００のスリープ／起動の判定はＯＬＴ２００にて管理されている。この場合以外にもＯＮＵ３００側自身がスリープ／起動判定を行うケースも考えられる。このケースは他の実施形態でも同様に適用可能である。 
【００７２】
［第２の実施形態］
本実施形態の連携通信システムに用いられる光アクセスシステムはＰＯＮシステムであり、無線基地局が自律制御にスモールセルのオン・オフを切り替えるセルラーシステムを収容する。
【００７３】
図４は、本発明の第２の実施形態による連携通信システム１０１の構成を示すブロック図である。同図において、図１に示す第１の実施形態による連携通信システム１００と同一の部分には同一の符号を付し、その説明を省略する。
連携通信システム１０１に適用されるセルラーシステムの構成はＤ−ＲＡＮである。つまり、連携通信システム１０１は、上位装置４３０（第二通信装置）と無線基地局４４０（第一通信装置）とが、光装置を介して光ファイバ５００で接続された構成である。上位装置４３０と接続される光装置はＯＬＴ２０１（第二伝送装置）であり、無線基地局４４０と接続される光装置はＯＮＵ３０１（第一伝送装置）である。なお、同図においては、ＯＮＵ３０１を一台のみ示しているが、複数台が備えられ得る。この場合、光スプリッタが、１本の光ファイバ５００で伝送される光信号を複数に分配することにより、１台のＯＬＴ２０１と複数台のＯＮＵ３０１とが接続される。
Ｄ−ＲＡＮ構成ではセルのオン・オフ判定部が、無線基地局４４０に配置される場合がある。そのため、第１の実施形態とは異なりオン・オフ判定の決定に、光アクセス区間での情報のやりとりが行われる。
【００７４】
ＯＬＴ２０１は、バッファ部２１０、下りフレーム処理部２２０、Ｅ／Ｏ変換部２３０、Ｏ／Ｅ変換部２４０、上りフレーム処理部２５０、セルオン・オフ情報取得部２６１（情報取得部）、及び、スリープ／起動制御部２７０を備えて構成される。セルオン・オフ情報取得部２６１は、上りフレーム処理部２５０がフレーム変換した上り信号から、ＯＮＵ３０１より通知されたセルオン・オフ情報を取得し、スリープ／起動制御部２７０に出力する。スリープ／起動制御部２７０は、セルオン・オフ情報により、ＯＮＵ３０１のスリープ／起動判定を行い、判定結果に基づく命令を生成して下りフレームに付加し、ＯＮＵ３０１に送信する。
ＯＮＵ３０１の構成は、第１の実施形態のＯＮＵ３００と同様である。
【００７５】
図５〜図７を用いて、連携通信システム１０１による無線基地局４４０のオン・オフに関する動作を詳細に説明する。以下では、オン・オフを行う対象の無線基地局４４０をオン・オフ無線基地局４４０とも記載する。
【００７６】
図５は、連携通信システム１０１が無線基地局４４０をオンにする場合のシーケンス図である。
オフ状態のオン・オフ無線基地局４４０がトラヒック量情報の確認のためソースセル宛てに送信したトラヒック量要求は、ＯＮＵ３０１がスリープ状態であるため、一旦バッファリングされる。ＯＬＴ２０１とＯＮＵ３０１の間で、ＯＮＵ３０１を起動するための通信が行われると、ＯＮＵ３０１は、起動した後に、バッファリングしていたトラヒック量要求を送信する。このタイミングでＯＮＵ３０１は起動状態にある。オン・オフ無線基地局４４０は、ソースセルからセル起動許可を受信した場合に、オン状態に遷移する。その後、連携通信システム１０１は、セル切り替え手順もしくはセル登録手順を行い、オン・オフ無線基地局４４０の起動を完了する。
【００７７】
オフ状態のオン・オフ無線基地局４４０は、トラヒック量情報の確認のためソースセル宛てのトラヒック量要求を送信する（ステップＳ４０５）。ＯＮＵ３０１がスリープ状態であるため、バッファ部３３０は、受信したトラヒック量要求をバッファリングする。
【００７８】
一方、ＯＬＴ２０１のスリープ／起動制御部２７０は、周期的にスリープ判定を行っている（ステップＳ４１０）。スリープ／起動制御部２７０は、ＯＮＵ３０１を起動させるタイミングであり、かつ、ＯＮＵ３０１がスリープ状態であると判断した場合、ＯＮＵ３０１にSleep Allow(OFF)を送信する（ステップＳ４１５）。ＯＮＵ３０１のスリープ／起動命令読取部３６０は、Sleep Allow(OFF)を受信すると、起動状態に遷移できると判断した場合、Sleep request(Awake)を返送する（ステップＳ４２０）。休止部３７０は、ＯＮＵ３０１を起動状態に遷移させる。ＯＬＴ２０１のセルオン・オフ情報取得部２６１は、上り制御信号からSleep request(Awake)を取得し、スリープ／起動制御部２７０に出力する。
【００７９】
ＯＮＵ３０１は、バッファ部３３０にバッファリングしていたトラヒック量要求をＯＬＴ２０１に送信する（ステップＳ４２５）。ＯＬＴ２０１は、受信したトラヒック量要求を上位装置４３０に送信し（ステップＳ４３０）、上位装置４３０は、受信したトラヒック量要求をソースセルに送信する（ステップＳ４３５）。ソースセルは、各セルのトラヒック量を示すトラヒック量情報を、トラヒック量通知により上位装置４３０に通知する（ステップＳ４４０）。トラヒック量通知は、上位装置４３０、ＯＬＴ２０１、ＯＮＵ３０１を介してオン・オフ無線基地局４４０に送信される（ステップＳ４４５〜ステップＳ４５５）。
【００８０】
オン・オフ無線基地局４４０は、受信したトラヒック量情報に基づいて配下のセルの状態をオンにするかオフにするかのオンオフ判定を行う（ステップＳ４６０）。オン・オフ無線基地局４４０は、セルをオンにすると判定すると、現在自局のセルがオフであるため、セルの起動を承認するよう要求するセル起動承認要求をソースセル宛てに送信する（ステップＳ４６５）。ＯＮＵ３０１は、セル起動承認要求をバッファリングし、ＯＬＴ２０１との間で上りリンクネゴシエーションを行う（ステップＳ４７０）。ＯＬＴ２０１から送信許可を受信すると、ＯＮＵ３０１は、バッファリングしていたセル起動要求をＯＬＴ２０１に送信する（ステップＳ４７５）。ＯＬＴ２０１は、受信したセル起動承認要求を上位装置４３０に送信し（ステップＳ４８０）、上位装置４３０は、受信したセル起動承認要求をソースセルに送信する（ステップＳ４８５）。
【００８１】
ソースセルは、セルの起動を許可すると判断すると、セル起動許可を上位装置４３０に送信する（ステップＳ４９０）。セル起動許可は、上位装置４３０、ＯＬＴ２０１、ＯＮＵ３０１を介してオン・オフ無線基地局４４０に送信される（ステップＳ４９５〜ステップＳ５０５）。
【００８２】
連携通信システム１０１は、従来技術と同様に、セル切り替え手順もしくはセル登録手順を実行する（ステップＳ５１０）。これにより、オン・オフ無線基地局４４０は、配下のセルの移動無線端末を収容し、移動無線端末とユーザデータを送受信する（ステップＳ５１５）。
【００８３】
なお、ＯＬＴ２０１のセルオン・オフ情報取得部２６１は、セル起動承認要求及びセル起動許可の受信により、オン・オフ無線基地局４４０のセルの状態がオンに遷移したことを認識し、スリープ／起動制御部２７０に通知してもよい。これにより、スリープ／起動制御部２７０は、ＯＮＵ３０１が周期的なスリープ制御のためにスリープ状態に遷移していたときには、Sleep Allow(OFF)を送信してＯＮＵ３０１を起動した後、セル起動許可を送信することもできる。
【００８４】
図６及び図７は、連携通信システム１０１の無線基地局オフの動作を示すシーケンス図である。
オン・オフ無線基地局４４０をオフ状態に遷移させる手順は、オン・オフ無線基地局４４０とソースセルのやり取りの結果、オン・オフ無線基地局４４０がセルをオフ状態に遷移させると判断した場合に開始される。ＯＮＵ３０１とオン・オフ無線基地局４４０は起動状態にあるため、停止要求の手順は従来通りの通信にて行われる。オン・オフ無線基地局４４０は、セルの停止許可をソースセルから受信した場合に、セルの切り替え手順を行って、配下の移動無線端末をソースセルもしくは近隣のセルに受け渡した後に、無線端末情報の解放通知とセルオフの完了通知を送信し、オフ状態に遷移する。無線基地局４４０は、セルがオフ状態にある旨をＯＮＵ３０１に通知し、ＯＮＵ３０１はその情報をＯＬＴ２０１に送信する。ＯＬＴ２０１はその情報を基にスリープ判定を行い、ＯＮＵ３０１をスリープ状態に遷移させるシーケンスに移る。
【００８５】
例えば図５の動作の後、図６に示すように、オン・オフ無線基地局４４０は、ソースセル宛てのトラヒック量要求を送信する（ステップＳ６０５）。ＯＮＵ３０１は、トラヒック量要求をバッファリングし、ＯＬＴ２０１との間で上りリンクネゴシエーションを行う（ステップＳ６１０）。ＯＬＴ２０１から送信許可を受信すると、ＯＮＵ３０１は、バッファリングしていたトラヒック量要求をＯＬＴ２０１に送信する（ステップＳ６１５）。送信されたトラヒック量要求は、ＯＬＴ２０１、上位装置４３０を介してソースセルに送信される（ステップＳ６２０〜ステップＳ６２５）。ソースセルは、各セルのトラヒック量を示すトラヒック量情報を、トラヒック量通知により上位装置４３０に送信する（ステップＳ６３０）。送信されたトラヒック量通知は、上位装置４３０、ＯＬＴ２０１、ＯＮＵ３０１を介してオン・オフ無線基地局４４０に送信される（ステップＳ６３５〜ステップＳ６４５）。
【００８６】
オン・オフ無線基地局４４０は、受信したトラヒック量情報に基づいて配下のセルのオンオフ判定を行う。オン・オフ無線基地局４４０は、セルをオフにすると判定すると、現在自局がオンであるため、セルの停止を承認するよう要求するセル停止承認要求をソースセル宛てに送信する（ステップＳ６５５）。ＯＮＵ３０１は、セル停止承認要求をバッファリングし、ＯＬＴ２０１との間で上りリンクネゴシエーションを行う（ステップＳ６６０）。ＯＬＴ２０１から送信許可を受信すると、ＯＮＵ３０１は、バッファリングしていたセル停止承認要求をＯＬＴ２０１に送信する（ステップＳ６６５）。送信されたセル停止承認要求は、ＯＬＴ２０１、上位装置４３０を介してソースセルに送信される（ステップＳ６７０〜ステップＳ６７５）。
【００８７】
ソースセルは、セルの停止を許可すると判断すると、セル停止許可を上位装置４３０に送信する（ステップＳ６８０）。送信されたセル停止許可は、上位装置４３０、ＯＬＴ２０１、ＯＮＵ３０１を介してオン・オフ無線基地局４４０に送信される（ステップＳ６８５〜ステップＳ６９５）。
【００８８】
オン・オフ無線基地局４４０は、従来技術と同様に、ソースセルとの間でセル切り替え手順を実行する（ステップＳ７００）。これにより、ソースセルは、オン・オフ無線基地局４４０の配下のセルの移動無線端末を収容し、移動無線端末とユーザデータを送受信する（ステップＳ７０５）。オン・オフ無線基地局４４０は、配下の移動無線端末の無線端末情報を解放する。
【００８９】
ソースセルがオン・オフ無線基地局４４０の配下のセルの移動無線端末の収容を完了すると、図７に示すように、オン・オフ無線基地局４４０は、ソースセル宛ての無線端末情報解放通知及びセルオフ完了通知を送信し、セルをオフにする（ステップＳ８０５）。ＯＮＵ３０１は、無線端末情報解放通知及びセルオフ完了通知をバッファリングし、ＯＬＴ２０１との間で上りリンクネゴシエーションを行う（ステップＳ８１０）。ＯＬＴ２０１から送信許可を受信すると、ＯＮＵ３０１は、バッファリングしていた無線端末情報解放通知及びセルオフ完了通知をＯＬＴ２０１に送信する（ステップＳ８１５）。ＯＬＴ２０１の上りフレーム処理部２５０は、フレーム変換した無線端末情報解放通知及びセルオフ完了通知を上位装置４３０に送信するとともに（ステップＳ８２０）、セルオン・オフ情報取得部２６１にセルオフ完了通知を出力する。上位装置４３０は、受信した無線端末情報解放通知及びセルオフ完了通知をソースセルに送信する（ステップＳ８２５）。
【００９０】
ＯＬＴ２０１のセルオン・オフ情報取得部２６１は、セルオフ完了通知の受信により、オン・オフ無線基地局４４０のセルの状態がオフに遷移したことを示すセルオン・オフ情報を取得し、スリープ／起動制御部２７０に出力する。スリープ／起動制御部２７０は、受信したセルオン・オフ情報によりスリープ判定を行う（ステップＳ８３０）。すなわち、スリープ／起動制御部２７０は、受信したセルオン・オフ情報によりオン・オフ無線基地局４４０のセルがオフになったことを認識すると、オン・オフ無線基地局４４０に接続されるＯＮＵ３０１がスリープ状態であるか起動状態であるかを判定する。スリープ／起動制御部２７０は、ＯＮＵ３０１が起動状態であると判定した場合、ＯＮＵ３０１宛のSleep Allow(ON)を送信する（ステップＳ８３５）。ＯＮＵ３０１のセルオン・オフ情報取得部２６１は、下り制御信号からSleep Allow(ON)を読取ると、Sleep request(Sleep)をＯＬＴ２０１に返送する（ステップＳ８４０）。休止部３７０は、ＯＮＵ３０１をスリープ状態に遷移させる。ＯＬＴ２０１のセルオン・オフ情報取得部２６１は、下り制御信号からSleep Allow(Sleep)を読取るとスリープ／起動制御部２７０に出力する。
【００９１】
上記シーケンスでは、無線基地局４４０が自局のセルのオン・オフ判定を行っている。そのため、ＯＮＵが無線基地局４４０からそのオンオフ判定結果を受信して、状態を制御することもできる。
【００９２】
図８は、本実施形態の連携通信システムの他の構成を示すブロック図である。同図に示す連携通信システム１０２において、図４に示す連携通信システム１０１と同一の部分には同一の符号を付し、その説明を省略する。同図に示す連携通信システム１０２は、図４に示すＯＬＴ２０１及びＯＮＵ３０１に代えて、ＯＬＴ２０２及びＯＮＵ３０２（第一伝送装置）を設けた構成である。
【００９３】
ＯＬＴ２０２は、ＯＬＴ２０１と同様の構成である。
ＯＮＵ３０２は、図４に示すＯＮＵ３０１に、セルオン・オフ情報取得部３８０（情報取得部）及びスリープ／起動制御部３９０（状態制御部）をさらに備えた構成である。セルオン・オフ情報取得部３８０は、無線基地局４４０からセルのオンオフ判定結果をセルオン・オフ情報として取得する。オンオフ判定結果は、セル起動承認要求、セル完了通知として通知される。スリープ／起動制御部３９０は、オンオフ判定結果と、ＯＮＵ３０２の状態とが一致しない場合、ＯＮＵ３０２の状態を遷移させる。つまり、スリープ／起動制御部３９０は、セル起動承認要求を受信した場合、ＯＮＵ３０２がスリープ状態であるときには、休止部３７０に起動を指示する。また、スリープ／起動制御部３９０は、セル完了通知を受信した場合、ＯＮＵ３０２が起動状態であるときには、休止部３７０に状態をスリープにするよう指示する。スリープ／起動制御部３９０は、ＯＮＵ３０２の起動を指示したこと、あるいは、スリープ状態とするよう指示したことを示すスリープ／起動命令情報を生成し、上りフレーム処理部３４０に出力し、ＯＬＴ２０２に送信する。スリープ／起動命令情報は、セル起動承認要求、セル停止承認要求として送信される。
【００９４】
例えば、ＯＮＵ３０２が周期的にスリープ状態となる場合、オン・オフ無線基地局４４０からセル起動承認要求あるいはセル停止承認要求を受信したときにスリープ状態のことがある。このようなときに、ＯＮＵ３０２は、ＯＬＴ２０２からの指示を待たずに自装置を起動し、受信した信号をＯＬＴ２０２に通知することができる。
【００９５】
第１の実施形態と比較して第２の実施形態の構成では、スリープ時間は短くなる。しかしながら、長時間、半日といった周期でセルがオン・オフを繰り返す場合には本実施形態であっても十分な低消費電力性能が達成できる。 
なお、上述した説明及び図５〜図７に記載のシーケンス名は、実際にやりとりされている命名規則に準拠しているものではなく、簡易な名称として定義している。
【００９６】
［第３の実施形態］
本実施形態は、図１６のように、セルのオン・オフの状態を制御する装置が、外部の装置に設置された制御部からセルのオン・オフの切り替え命令を受信するＰＯＮシステムに適用される。Ｃ−ＲＡＮ構成の場合、外部の装置の制御部はＢＢＵ４１０と同等とみなせるため、本実施形態の連携通信システムの構成は、図１に示す第１の実施形態の連携通信システムと同様の構成である。Ｄ−ＲＡＮ構成の場合の連携通信システムの構成を図９に示す。
【００９７】
図９は、本実施形態による連携通信システム１０３の構成を示すブロック図である。同図において、図４に示す第２の実施形態の連携通信システム１０１と同一の部分には同一の符号を付し、その説明を省略する。連携通信システム１０３は、Ｎ台の上位装置４３０を制御する外部装置の制御部４５０（第二通信装置）と、無線基地局４４０とが、光装置を介して光ファイバ５００で接続された構成である。同図では、ｉ番目の上位装置４３０を上位装置＃ｉと記載している（ｉは１以上Ｎ以下の整数）。制御部４５０と接続される光装置はＯＬＴ２０３であり、無線基地局４４０と接続される光装置はＯＮＵ３０３である。なお、外部装置は、無線基地局４４０のセルとその周辺のセルとをオーバレイしているマクロセルの無線基地局や、それらを集約している上位装置であってもよい。また、同図においては、ＯＮＵ３０３を一台のみ示しているが、複数台が備えられ得る。この場合、光スプリッタが、１本の光ファイバ５００で伝送される光信号を複数に分配することにより、１台のＯＬＴ２０３と複数台のＯＮＵ３０３とが接続される。
【００９８】
ＯＬＴ２０３と、図４に示すＯＬＴ２０１が異なる点は、セルオン・オフ情報取得部２６１に代えて、セルオン・オフ情報取得部２６２（情報取得部）を備える点である。セルオン・オフ情報取得部２６２は、外部の装置の制御部４５０からセルオン・オフ情報を取得し、スリープ／起動制御部２７０に出力する。
ＯＮＵ３０３の構成は、第２の実施形態のＯＮＵ３０１と同様である。
【００９９】
図１０は、連携通信システム１０３が無線基地局４４０をオンにする場合の示すシーケンス図である。
ＯＬＴ２０３が制御部４５０からオン・オフ無線基地局４４０のセルの起動要求を受信すると、スリープ／起動制御部２７０は、ＯＮＵ３０３をオン状態に遷移させるための信号を出力する。ＯＮＵ３０３は起動後、バッファ部３３０に記憶していたセルの起動要求をオン・オフ無線基地局４４０に送信する。オン・オフ無線基地局４４０はセルをオン状態とし、セルが起動した旨を制御部４５０に通知する。その後、セルの切り替え手順又は登録手順を行った後に、オン・オフ無線基地局４４０は、配下のセルの移動無線端末を収容する。
【０１００】
従来システムでは、下りリンクにおいて、定期的にＯＬＴからＯＮＵに状態をオンにする命令を送信し起動していた。よって、オン命令が送信されるまではスリープ状態であるために信号をバッファリングする必要があった。本実施形態では、制御部４５０から送信された情報を基にＯＬＴ２０３が起動命令をＯＮＵ３０３に送信するため、従来よりも低遅延で動作することができる。上りリンクでは、オン・オフ無線基地局４４０からセルの停止状態が通知されるため、従来よりもスリープ時間を効率良く長期に渡って確保することが可能となる。これにより、低消費電力化が可能となる。
【０１０１】
外部装置の制御部４５０は、現在の状態がオフであるオン・オフ無線基地局４４０のセルをオンにすると判断した場合（ステップＳ９０５）、オン・オフＲＲＨ４４０のセルの起動を要求するセル起動要求を、オン・オフＲＲＨ４４０宛の信号を送信する回線とは別の回線によりＯＬＴ２０３に送信する（ステップＳ９１０）。ＯＬＴ２０３のセルオン・オフ情報取得部２６２は、制御部４５０から受信したセル起動要求を、セルオン・オフ情報としてスリープ／起動制御部２７０に出力する。スリープ／起動制御部２７０は、受信したセルオン・オフ情報に、セル起動要求によりスリープ判定を行う（ステップＳ９１５）。すなわち、スリープ／起動制御部２７０は、セルオン・オフ情報として受信したセル起動要求によりオン・オフ無線基地局４４０のセルの起動が要求されたことを認識すると、オン・オフ無線基地局４４０に接続されるＯＮＵ３０３がスリープ状態であるか起動状態であるかを判定する。スリープ／起動制御部２７０は、ＯＮＵ３０３がスリープ状態であると判断した場合、ＯＮＵ３０３にSleep Allow(OFF)を送信する（ステップＳ９２０）。ＯＮＵ３０３のスリープ／起動命令読取部３６０は、Sleep Allow(OFF)を取得すると、Sleep request(Awake)をＯＬＴ２０３に送信する（ステップＳ９２５）。ＯＬＴ２０３のスリープ／起動制御部２７０は、Sleep request(Awake)を取得すると、セル起動要求をＯＮＵ３０３に送信する（ステップＳ９３０）。
【０１０２】
ＯＮＵ３０３は、受信したセル起動要求をオン・オフ無線基地局４４０に送信する（ステップＳ９３５）。オン・オフ無線基地局４４０は、セル起動要求を受信すると状態をオンにしてセルを起動し、セル起動応答をＯＮＵ３０３に送信する（ステップＳ９４０）。ＯＮＵ３０３は、受信したセル起動応答をバッファリングし、ＯＬＴ２０３との間で上りリンクネゴシエーションを行う（ステップＳ９４５）。ＯＮＵ３０３がＯＬＴ２０３から送信許可を受信すると、バッファリングしていたセル起動応答をＯＬＴ２０３に送信する（ステップＳ９５０）。ＯＬＴ２０３は、受信したセル起動応答を制御部４５０に送信する（ステップＳ９５５）。
【０１０３】
連携通信システム１０３は、従来技術と同様に、セル切り替え手順もしくはセル登録手順を実行する（ステップＳ９６０）。これにより、オン・オフ無線基地局４４０は、配下のセルの移動無線端末を収容し、移動無線端末はオン・オフ無線基地局４４０を介して上位装置＃１とユーザデータを送受信する（ステップＳ９６５）。
【０１０４】
なお、ステップＳ９１０において、制御部４５０は、セル起動要求をオン・オフＲＲＨ４４０宛に送信してもよい。この場合、ステップＳ９１５において、ＯＬＴ２０３のバッファ部２１０は、制御部４５０から受信したセル起動要求をバッファリングする。セルオン・オフ情報取得部２６０は、バッファ部２１０にバッファリングされたセル起動要求をセルオン・オフ情報として取得し、スリープ／起動制御部２７０に出力する。そして、ステップＳ９２５において、ＯＬＴ２０３のスリープ／起動制御部２７０がSleep request(Awake)を取得すると、ステップＳ９３０において、バッファ部２１０は、セル起動要求を下りフレーム処理部２２０に出力する。Ｅ／Ｏ変換部２３０は、下りフレーム処理部２２０がフォーマット変換を行ったセル起動要求をＯＮＵ３０３に送信する。
【０１０５】
図１１は、連携通信システム１０３の無線基地局オフの動作を示すシーケンス図である。
オン・オフセルをオフ状態に遷移させる手順では、オン・オフ無線基地局４４０が制御部４５０からセルの停止要求を受信してセルの切り替え手順を行い、オン・オフ無線基地局４４０が収容している移動無線端末を他のセルに受け渡す。その後、オン・オフ無線基地局４４０は、無線端末情報を解放する旨とセルオフの完了通知を制御部に送信する。制御部４５０は、オン・オフセルが停止した旨をＯＬＴ２０３に通知し、ＯＬＴ２０３は、ＯＮＵ３０３をスリープ状態に遷移させる。
【０１０６】
例えば、図１０の処理の後、制御部４５０は、現在状態がオンであるオン・オフ無線基地局４４０のセルをオフにすると判定した場合（ステップＳ１００５）、オン・オフ無線基地局４４０宛のセル停止要求をＯＬＴ２０３に送信する（ステップＳ１０１０）。
【０１０７】
ＯＬＴ２０３は、制御部４５０から受信したセル停止要求をＯＮＵ３０３に送信し（ステップＳ１０１５）、ＯＮＵ３０３は、受信したセル停止要求をオン・オフ無線基地局４４０に送信する（ステップＳ１０２０）。オン・オフ無線基地局４４０は、セル停止要求を受信すると、セル停止応答をＯＮＵ３０３に返送する（ステップＳ１０２５）。ＯＮＵ３０３は、ＯＬＴ２０３との間で上りリンクネゴシエーションを行う（ステップＳ１０３０）。ＯＮＵ３０３は、ＯＬＴ２０３から送信許可を受信すると、バッファリングしていたセル停止要求をＯＬＴ２０３に送信する（ステップＳ１０３５）。ＯＬＴ２０３は、受信したセル停止応答を、制御部４５０に送信する（ステップＳ１０４０）。
【０１０８】
制御部４５０は、セル停止応答を受信すると、セル切り替え手順を実行する（ステップＳ１０４５）。これにより、上位装置＃ｋ（ｋは２以上Ｎ以下の整数）が制御する無線基地局の配下のセルが、オン・オフ無線基地局４４０の配下の移動無線端末を収容する。オン・オフ無線基地局４４０は、収容していた移動無線端末の無線端末情報を解放する。そして、オン・オフ無線基地局４４０は、制御部４５０宛ての無線端末情報解放通知及びセルオフ完了通知を送信し、セルをオフにする（ステップＳ１０５０）。
【０１０９】
ＯＮＵ３０３は、無線端末情報解放通知及びセルオフ完了通知をバッファリングし、ＯＬＴ２０３との間で上りリンクネゴシエーションを行う（ステップＳ１０５５）。ＯＬＴ２０３から送信許可を受信すると、ＯＮＵ３０３は、バッファリングしていた無線端末情報解放通知及びセルオフ完了通知をＯＬＴ２０３に送信する（ステップＳ１０６０）。ＯＬＴ２０３は、受信した無線端末情報解放通知及びセルオフ完了通知を制御部４５０に送信する（ステップＳ１０６５）。
【０１１０】
制御部４５０は、オン・オフ無線基地局４４０のセルの状態が停止となったため、セル停止中をＯＬＴ２０３に通知する（ステップＳ１０７０）。ＯＬＴ２０３のセルオン・オフ情報取得部２６０は、セル停止中の通知を受信すると、セルオン・オフ情報としてセルオン・オフ情報取得部２６２に出力する。スリープ／起動制御部２７０は、セル停止中の通知によってオン・オフ無線基地局４４０のセルの状態がオフへ遷移したことを認識すると、オン・オフ無線基地局４４０に接続されるＯＮＵ３０３の状態がスリープであるか起動中であるかのスリープ判定を行う（ステップＳ１０７５）。スリープ／起動制御部２７０は、スリープ判定により起動中と判定した場合、ＯＮＵ３０３にSleep Allow(ON)を送信する（ステップＳ１０８０）。ＯＮＵ３０３のスリープ／起動命令読取部３６０は、Sleep Allow(ON)を取得すると、Sleep request(Sleep)をＯＬＴ２０３に送信する（ステップＳ１０８５）。休止部３７０は、ＯＮＵ３０３をスリープ状態に遷移させる。
【０１１１】
図１０及び図１１では、Ｄ−ＲＡＮ構成の連携通信システム１０３を例に挙げてシーケンスを説明したが、セルのオン・オフに連携したＯＮＵのスリープ／起動に関する動作はＣ−ＲＡＮ構成でも同様である。 
【０１１２】
なお、上述した説明及び図１０及び図１１に記載のシーケンス名は、実際にやりとりされている命名規則に準拠しているものではなく、簡易な名称として定義している。
【０１１３】
［第４の実施形態］
第１の実施形態及び第２の実施形態においては、トラヒック量情報をＢＢＵ４１０又は上位装置４３０から受信している。しかしながら、自セルに移動無線端末が増加してきた際の情報を監視する等、セル配下のトラヒック量の増減より、オン・オフ状態の遷移を行う構成も考えられる。そこで、本実施形態では、図２、図３、図１４、図１５のトラヒック量要求を移動無線端末に送信し、移動無線端末はトラヒック量通知を送信する。
【０１１４】
［第５の実施形態］
第１の実施形態から第４の実施形態では、光アクセスシステムがセルラーシステムからセルオン・オフ情報を取得している。第５の実施形態では、光アクセスシステムが下り信号又は上り信号を監視し、セルオン・オフ情報を取得する。以下では、上述した他の実施形態との差分を中心に説明する。
【０１１５】
図１２は、第５の実施形態による連携通信システム１０４の構成を示すブロック図である。連携通信システム１０４は、Ｃ−ＲＡＮ構成である。同図において、図１に示す第１の実施形態の連携通信システム１００と同一の部分には同一の符号を付し、その説明を省略する。連携通信システム１０４が第１の実施形態の連携通信システム１００と異なる点は、ＯＬＴ２００に代えてＯＬＴ２０４（第二伝送装置）を備える点である。
【０１１６】
ＯＬＴ２０４が図１に示すＯＬＴ２００と異なる点は、セルオン・オフ情報取得部２６０に代えて、セルオン・オフ情報抽出部２８０（情報取得部）を備える点である。セルオン・オフ情報抽出部２８０は、ＢＢＵ４１０がＲＲＨ４２０へ送信した信号からセルオン・オフ情報をスヌープする。具体的には、セルオン・オフ情報抽出部２８０は、ＢＢＵ４１０がＲＲＨ４２０へ送信した所定の信号の所定の情報の設定内容に基づいてセルがオンであるかオフであるかの状態を判定し、判定結果に基づいてセルオン・オフ情報を生成する。セルオン・オフ情報抽出部２８０は、生成したセルオン・オフ情報をスリープ／起動制御部２７０に出力する。
【０１１７】
本実施形態では、ＢＢＵ４１０と光アクセスシステム間ではセルオン・オフ情報を送受しない。しかし、セルオン・オフ情報抽出部２８０が、ＢＢＵ４１０が送信した情報をスヌープすることによりセルのオン・オフ状態を判断し、無線システムと光アクセスシステム間での連動動作を可能としている。スヌープする信号は、例えば制御信号である。制御信号が主信号に付加されている場合と、付加されていない場合のいずれであってもスヌープは可能である。
ＯＬＴ２０４のセルオン・オフ情報の取得以外の動作は、第１の実施形態のＯＬＴ２００と同様である。
【０１１８】
Ｄ−ＲＡＮ構成の場合は、図４又は図８に示すセルオン・オフ情報取得部２６０を、図１２に示すＯＬＴ２０４が備えるセルオン・オフ情報抽出部２８０に置き換えた構成である。図４又は図８に示すセルオン・オフ情報取得部２６０をセルオン・オフ情報抽出部２８０に置き換えた場合も、取得又は出力する情報は、ＯＬＴ２０４が備えるセルオン・オフ情報抽出部２８０と同じである。ＯＬＴがセルオン・オフ情報をスヌープすることにより、セルラーシステムと光アクセスシステム間での連動動作を可能としている。
なお、外部の装置がセルオン・オフ情報抽出部２８０備え、この装置がセルオン・オフ情報をＯＬＴに通知する構成としてもよい。
【０１１９】
従来のセルラーシステムと光アクセスシステムの起動、停止動作は独立して行われていたため、遅延時間の増加や低消費電力性の低さなどが課題であった。
上述した実施形態によれば、セルラーシステムの無線基地局におけるオン・オフ切り替え動作と、光アクセスシステムでのスリープ制御とを組み合わせて連動させる。組み合わせる手法は、セルラーシステムから切り替え情報を受信する場合と、信号をスヌープする場合がある。セルラーシステムの無線基地局におけるオン・オフ切り替え動作と、光アクセスシステムでのスリープ制御が連動しているため、タイミングのずれによるバッファ遅延が少なく、システム停止時間を延ばすことにより低消費電力化に貢献することが可能である。
【０１２０】
上述した実施形態におけるＯＬＴ２００、ＯＬＴ２０１、ＯＬＴ２０２、ＯＬＴ２０３、ＯＬＴ２０４、ＯＮＵ３００、ＯＮＵ３０１、ＯＮＵ３０２、ＯＮＵ３０３、ＢＢＵ４１０、ＲＲＨ４２０、上位装置４３０、無線基地局４４０、外部装置の制御部４５０の機能の一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１２１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１２２】
スリープ機能を有する伝送システムを介して、オン・オフ機能を有する通信装置が通信を行う通信システムに利用可能である。
【符号の説明】
【０１２３】
１００、１０１、１０２、１０３、１０４  連携通信システム
２００、２０１、２０２、２０３、２０４、９１５、９４５、９５０  ＯＬＴ
２１０、３３０  バッファ部
２２０、３２０  下りフレーム処理部
２３０、３５０  Ｅ／Ｏ変換部
２４０、３１０  Ｏ／Ｅ変換部
２５０、３４０  上りフレーム処理部
２６０、２６１、２６２、３８０  セルオン・オフ情報取得部
２７０、３９０、９５１  スリープ／起動制御部
２８０  セルオン・オフ情報抽出部
３００、３０１、３０２、３０３、９２５、９３５、９６０  ＯＮＵ
３６０、９６１  スリープ／起動命令読取部
３７０  休止部
４１０、８１０  信号処理部（ＢＢＵ）
４２０、８２０  アンテナ部（ＲＲＨ）
４３０、８４０  上位装置
４４０、８３０  無線基地局
４５０  制御部
５００、７００、７１０  光ファイバ
７２０  光スプリッタ
９１０、９２０、９３０、９４０  光装置
【図１】
0006441745.tif 000002
【図２】
0006441745.tif 000003
【図３】
0006441745.tif 000004
【図４】
0006441745.tif 000005
【図５】
0006441745.tif 000006
【図６】
0006441745.tif 000007
【図７】
0006441745.tif 000008
【図８】
0006441745.tif 000009
【図９】
0006441745.tif 000010
【図１０】
0006441745.tif 000011
【図１１】
0006441745.tif 000012
【図１２】
0006441745.tif 000013
【図１３】
0006441745.tif 000014
【図１４】
0006441745.tif 000015
【図１５】
0006441745.tif 000016
【図１６】
0006441745.tif 000017
【図１７】
0006441745.tif 000018
【図１８】
0006441745.tif 000019
【図１９】
0006441745.tif 000020
【図２０】
0006441745.tif 000021
【図２１】
0006441745.tif 000022